(57)【要約】  本開示は、無線ネットワークノードにおいて実装される、ユーザ機器（ＵＥ）によるスケジューリングされたアップリンク送信のための開始シンボルを決定する方法（５０）に関する。本方法は、ＵＥによるスケジューリングされたアップリンク送信のためのアップリンクスロット内の開始シンボルを選択すること（５２）と、ＵＥに対して開始シンボルを識別すること（５４）とを含む。【選択図】図９Ａ
2020516126.tif 000002
【特許請求の範囲】
【請求項１】
ユーザ機器（ＵＥ）９０において実装される、アップリンクスロット内で、アップリンク送信を始める時を決定する方法（５６）であって、
無線ネットワークノード（１１０）から、スケジューリングされたアップリンク送信のための前記アップリンクスロット内の開始シンボルを識別するメッセージを受信すること（５８）と、
前記スケジューリングされたアップリンク送信を前記開始シンボルから前記無線ネットワークノードに送信すること（６２）と
を含む、方法。
【請求項２】
前記スケジューリングされたアップリンク送信のための前記アップリンクスロット内の前記開始シンボルを識別する前記メッセージは、
前記ＵＥに送信されるスケジューリンググラント、および
無線リソース制御（ＲＲＣ）シグナリングメッセージ
のうちの１つを含む、請求項１に記載の方法。
【請求項３】
無線ネットワークノードから、前記スケジューリングされたアップリンク送信のための前記アップリンクスロット内の開始シンボルを識別するメッセージを受信することは、スロット割当と共にシンボル開始位置を受信することを含む、請求項２に記載の方法。
【請求項４】
無線ネットワークノードから、前記スケジューリングされたアップリンク送信のための前記アップリンクスロット内の開始シンボルを識別するメッセージを受信することは、スロット割当と別個にシンボル開始位置を受信することを含む、請求項２に記載の方法。
【請求項５】
スロット割当と別個にシンボル開始シンボルを受信することは、制御メッセージにおいて前記スロット割当を受信することを含み、前記シンボル開始位置はＲＲＣ設定される、請求項４に記載の方法。
【請求項６】
通信ネットワークにおいて無線ネットワークノード（１１０）とデータを通信するように設定されるトランシーバ（９８）と、
前記トランシーバに動作可能に接続され、
無線ネットワークノードから、スケジューリングされたアップリンク送信のためのアップリンクスロット内の開始シンボルを識別するメッセージを受信し、
前記スケジューリングされたアップリンク送信を前記開始シンボルから前記無線ネットワークノードに送信する
ように設定された処理回路（９２）と
を備える、ユーザ機器（ＵＥ）（９０）。
【請求項７】
前記スケジューリングされたアップリンク送信のための前記アップリンクスロット内の前記開始シンボルを識別する前記メッセージは、
前記ＵＥに送信されるスケジューリンググラント、および
無線リソース制御（ＲＲＣ）シグナリングメッセージ
のうちの１つを含む、請求項６に記載のＵＥ。
【請求項８】
前記開始シンボルは、シンボル開始位置およびスロット割当を含み、前記処理回路は、前記スロット割当と共に前記シンボル開始位置を受信するように設定された、請求項７に記載のＵＥ。
【請求項９】
前記開始シンボルは、シンボル開始位置およびスロット割当を含み、前記処理回路は、前記スロット割当と別個に前記シンボル開始位置を受信するように設定された、請求項７に記載のＵＥ。
【請求項１０】
前記処理回路は、制御メッセージにおいて前記スロット割当を受信するように設定され、前記シンボル開始位置はＲＲＣ制御される、請求項９に記載のＵＥ。
【請求項１１】
無線ネットワークノード（１１０）において実装される、ユーザ機器（ＵＥ）（９０）によるスケジューリングされたアップリンク送信のための開始シンボルを決定する方法（５０）であって、
ＵＥによるスケジューリングされたアップリンク送信のためのアップリンクスロット内の開始シンボルを選択すること（５２）と、
前記ＵＥに対して前記開始シンボルを識別すること（５４）と
を含む、方法。
【請求項１２】
アップリンクスロット内の前記開始シンボルを選択することは、
ダウンリンク（ＤＬ）制御領域の長さ、
ＤＬ制御領域内のＰＤＣＣＨの位置、
ダウンリンク制御情報（ＤＣＩ）を復号し、復号された前記ＤＣＩに基づいて、前記スケジューリングされたアップリンク送信を準備するために前記ＵＥが必要とする処理時間、および
前記ＵＥに提供されるタイムアライメントの量
のうちの少なくとも１つに基づいて、前記開始シンボルを選択することを含む、請求項１１に記載の方法。
【請求項１３】
前記ＵＥが必要とする前記処理時間を決定すること（８４）をさらに含み、前記処理時間を決定することは、直交周波数分割多重（ＯＦＤＭ）シンボル期間に応じて、物理アップリンク共有チャネル（ＰＵＳＣＨ）、物理ダウンリンク共有チャネル（ＰＤＳＣＨ）、および物理ダウンリンク制御チャネル（ＰＤＣＣＨ）のうちの１つまたは複数の特性に基づいて前記処理時間を調節することを含む、請求項１２に記載の方法。
【請求項１４】
前記ＵＥに対して前記開始シンボルを識別することは、
前記ＵＥに送信されるスケジューリンググラント、および
前記ＵＥに送信される無線リソース制御（ＲＲＣ）シグナリングメッセージ
のうちの１つにおいて前記開始シンボルを識別することを含む、請求項１１に記載の方法。
【請求項１５】
前記ＵＥに対して前記開始シンボルを識別することは、前記ＵＥに送信されるタイムアライメントコマンドと共に前記開始シンボルを識別することを含む、請求項１１に記載の方法。
【請求項１６】
前記ＵＥに対して前記開始シンボルのスロット割当を識別することをさらに含む、請求項１１に記載の方法。
【請求項１７】
前記スロット割当と共に前記ＵＥに対して前記開始シンボルを識別することをさらに含む、請求項１６に記載の方法。
【請求項１８】
前記スロット割当と別個に前記ＵＥに対して前記開始シンボルを識別することをさらに含む、請求項１６に記載の方法。
【請求項１９】
前記スロット割当と別個に前記開始シンボルを識別することは、
前記ＵＥに送信される前記ＤＣＩにおいて前記スロット割当を識別することと、
前記ＵＥに送信されるＲＲＣシグナリングメッセージにおいて前記開始シンボルを識別することと
を含む、請求項１８に記載の方法。
【請求項２０】
前記ＵＥに対して前記開始シンボルを識別することは、前記ＵＥに対して前記アップリンクスロット内の公称開始位置を識別することを含む、請求項１１に記載の方法。
【請求項２１】
前記ＵＥに対して前記開始シンボルを識別することは、
所定の制御領域サイズ、
所定のＰＤＣＣＨ位置、および
先のダウンリンク送信と関連付けられた所定の終了位置であって、前記アップリンクスロットに対応するダウンリンクスロット、および前記アップリンクスロットより前に生じるダウンリンクスロットのうちの１つを規定する、所定の終了位置
のうちの１つまたは複数に基づいて、前記アップリンクスロット内の開始位置を識別することを含む、請求項１１に記載の方法。
【請求項２２】
前記アップリンクスロットは、スロットの第１の部分に含まれ、前記スロットの第２の部分は、ダウンリンクスロットを含む、請求項１１に記載の方法。
【請求項２３】
ユーザ機器（ＵＥ）（９０）とデータを通信するように設定されるトランシーバ（１０８）と、
前記トランシーバに動作可能に接続され、
ＵＥによるスケジューリングされたアップリンク送信のためのアップリンクスロット内の開始シンボルを選択し、
前記トランシーバを介して前記ＵＥに対して前記開始シンボルを識別する
ように設定された処理回路（１１２）と
を備える、無線ネットワークノード（１１０）。
【請求項２４】
前記処理回路は、
ダウンリンク（ＤＬ）制御領域の長さ、
前記ＤＬ制御領域内のＰＤＣＣＨの位置、
ダウンリンク制御情報（ＤＣＩ）を復号し、復号された前記ＤＣＩに基づいて前記スケジューリングされたアップリンク送信を準備するために前記ＵＥが必要とする処理時間、および
前記ＵＥによって適用されるタイムアライメントの量
のうちの少なくとも１つに基づいて、前記開始シンボルを選択するように設定された、請求項２３に記載の無線ネットワークノード。
【請求項２５】
前記処理回路は、直交周波数分割多重（ＯＦＤＭ）シンボル期間に応じて、物理アップリンク共有チャネル（ＰＵＳＣＨ）、物理ダウンリンク共有チャネル（ＰＤＳＣＨ）、および物理ダウンリンク制御チャネル（ＰＤＣＣＨ）のうちの１つまたは複数の特性に基づいて前記処理時間を調節することによって、前記ＵＥが必要とする前記処理時間を決定するように設定された、請求項２４に記載の無線ネットワークノード。
【請求項２６】
前記処理回路は、
前記ＵＥに送信されるスケジューリンググラント、および
前記ＵＥに送信される無線リソース制御（ＲＲＣ）シグナリングメッセージ
のうちの少なくとも１つにおいて前記開始シンボルを識別するように設定される、請求項２３に記載の無線ネットワークノード。
【請求項２７】
前記処理回路は、前記ＵＥに送信されるタイムアライメントコマンドと共に前記開始シンボルを識別するように設定された、請求項２３に記載の無線ネットワークノード。
【請求項２８】
前記処理回路は、前記ＵＥに対して前記開始シンボルのスロット割当を識別するようにさらに設定された、請求項２３に記載の無線ネットワークノード。
【請求項２９】
前記処理回路は、前記スロット割当と共に前記開始シンボルを識別するように設定された、請求項２８に記載の無線ネットワークノード。
【請求項３０】
前記処理回路は、前記スロット割当と別個に前記開始シンボルを識別するように設定された、請求項２８に記載の無線ネットワークノード。
【請求項３１】
前記スロット割当と別個に前記開始シンボルを識別するために、前記処理回路は、
前記ＵＥに送信される前記ＤＣＩにおいて前記スロット割当を識別し、
前記ＵＥに送信されるＲＲＣシグナリングメッセージにおいて前記開始シンボルを識別する
ように設定された、請求項３０に記載の無線ネットワークノード。
【請求項３２】
前記処理回路は、前記ＵＥに対して前記アップリンクスロット内の実際の開始位置を識別するように設定された、請求項２３に記載の無線ネットワークノード。
【請求項３３】
前記処理回路は、
所定の制御領域サイズ、
所定のＰＤＣＣＨ位置、および
先のダウンリンク送信と関連付けられた所定の終了位置であって、前記アップリンクスロットに対応するダウンリンクスロット、および前記アップリンクスロットより前に生じるダウンリンクスロットのうちの１つを規定する、所定の終了位置
のうちの１つまたは複数に基づいて、前記ＵＥが使用するための開始位置を識別するように設定された、請求項２３に記載の無線ネットワークノード。
【請求項３４】
前記アップリンクスロットは、スロットの第１の部分に含まれ、前記スロットの第２の部分は、ダウンリンクスロットを含む、請求項２３に記載の無線ネットワークノード。
【発明の詳細な説明】
【技術分野】
【０００１】
本開示は、一般に、無線通信に関し、特に、アップリンクタイムスロット内で、ユーザ機器（ＵＥ）が送信を開始するべき時を決定するシステムおよび方法に関する。
【背景技術】
【０００２】
無線通信ネットワークは、世界の多くの地域に遍在している。通信技術における最新技術の進歩、例えば、スマートフォンといった、ユーザ機器（ＵＥ）などの無線ネットワークデバイスの電力および複雑さの増大、ならびに、ユーザアプリケーションの複雑性およびデータ交換要件の付随する増加は全て、無線ネットワーク実装形態においてますます増加する帯域幅およびデータ速度を要する。第３世代パートナーシッププロジェクト（３ＧＰＰ）は、無線ネットワークのプロトコルおよび要件を規定する技術標準を開発し、広め、地理的な相互運用性および機器メーカー間の相互運用性を確実にしている。３ＧＰＰ技術仕様リリース８〜１３において規定された、Ｌｏｎｇ  Ｔｅｒｍ  Ｅｖｏｌｕｔｉｏｎ（ＬＴＥ）として既知の第４世代（４Ｇ）標準を、３ＧＰＰが規定しており、世界中の事業者が展開している。ＬＴＥは、（最高２０ＭＨｚまでの）幅広くなったキャリア、（最高１００ＭＨｚまでのアグリゲートされた帯域幅を可能にする）キャリアアグリゲーション、（ビームフォーミング、多入力多出力（ＭＩＭＯ）などの）多重アンテナ技法、干渉協調（セル間干渉協調（ＩＣＩＣ））、および多地点協調（ＣＯＭＰ）などの高帯域幅要件に取り組むための多数の規定を含む。
【０００３】
現在の３ＧＰＰ標準化の成果は、新無線（ＮＲ）と称される第５世代（５Ｇ）標準に関する。ＮＲは、６ＧＨｚを上回る動作を規定することによって、およびコンポーネントキャリアの帯域幅を一層広くすることによって、帯域幅およびデータ速度をより大きくするためのＬＴＥのサポートを継続し、拡大する。同時に、ＮＲは、マシン間（Ｍ２Ｍ）通信またはモノのインターネット（ＩｏＴ）と称される時がある、低費用、狭帯域、高信頼性、低電力、高カバレッジのデバイスのためのサポートを提供する。
【０００４】
フレーム構造
ＮＲ送信のフレーム構造は多数のスロットを含む。現在の協定によると、スロットは、サブキャリア間隔≦６０ｋＨｚの７個または１４個の連続した直交周波数分割多重（ＯＦＤＭ）シンボル、またはサブキャリア間隔＞６０ｋＨｚの１４個のＯＦＤＭシンボルを含む。単なる例として、図１は、１４個のＯＦＤＭシンボルを有する単一のＮＲスロットを示す。
【０００５】
２つのタイプのスロット、すなわち、アップリンク（ＵＬ）スロットとダウンリンク（ＤＬ）スロットとがある。ダウンリンクスロットは、例えば、ネットワークにおける基地局（ＢＳ）によって送信され、１つまたは複数のＵＥによって受信される。対照的に、アップリンクスロットは、ＵＥによって送信され、ＢＳによって受信されるスロットである。
【０００６】
ヌメロロジー
ＮＲの動作周波数範囲は、一般的に、１ＧＨｚ以下から１００ＧＨｚまでに及ぶ。この広い範囲のキャリア周波数をカバーするために、ＮＲは、種々のＯＦＤＭヌメロロジーをサポートする。低周波数において、ＮＲは、より狭いサブキャリア間隔を利用する。狭いサブキャリア間隔のＯＦＤＭシンボルは、長く、かつ大きなセルにおける展開にとって重要である長いサイクリックプレフィックス（ＣＰ）を有する。しかしながら、小さいセルに対して、また、多くの場合、高周波数において、ＮＲは、より広いサブキャリア間隔を利用する。広いサブキャリア間隔によって、高周波数では重要である、位相ノイズおよびドップラーに向けた堅牢性がもたらされる。さらに、広いサブキャリア間隔を有する直交周波数分割多重（ＯＦＤＭ）シンボルは時間が短く、短いサイクリックプレフィックスを有し（同じオーバヘッドの場合）、これによって、小さいセルに対して使用が限定される。広いサブキャリア間隔を有するＯＦＤＭヌメロロジーは、典型的には、例えば、位相ノイズの堅牢性による高キャリア周波数において、または、短いシンボル期間による低レイテンシアプリケーションにおいて使用される。
【０００７】
以下の表１は、いくつかの異なるＯＦＤＭヌメロロジーを挙げている。この表において見られるように、この異なるヌメロロジーは、対応する異なるＯＦＤＭシンボル期間、通常のサイクリックプレフィックス期間、サイクリックプレフィックスを含むシンボル長、および（１スロット当たり１４シンボルと想定した）スロット長を含む。表１に見られるヌメロロジーが例示に過ぎず、さらなるヌメロロジーが想起でき、可能でもあることは、当業者には容易に理解されるべきである。
2020516126.tif 000003
【０００８】
アップリンク送信タイミングおよびタイムアライメント
アップリンクスロットの送信タイミングは、ＵＥによって観察されるように、対応する受信されたダウンリンクスロットのタイミングに対するＵＥ固有のオフセットによって与えられる。オフセットは、負であり得、これは、アップリンクスロットが対応するダウンリンクスロットの開始前に開始することを意味し、または、正であり得、これは、アップリンクスロットが対応するダウンリンクスロットの開始後に開始することを意味する。図２は、例えば、負のオフセットの一実施形態を示す。
【０００９】
アップリンク送信タイミングに対するオフセットについての１つの可能な理由、およびなぜオフセットが異なるＵＥに対して異なり得るのかは、異なるＵＥから送信されたアップリンクスロットが、場合によっては、好ましくは、これらが基地局で受信される時に時間的にアライメントされるからである。この場合、基地局に対するより大きい伝搬遅延があるＵＥは、より大きい負のオフセット（すなわち、ある程度早いアップリンク送信）を有することになるが、より小さい伝搬遅延があるＵＥ（例えば、基地局により近いＵＥ）は、より小さい負のオフセット（すなわち、ある程度遅いアップリンク送信）を有することになる。この理由のために、送信オフセットを設定するプロセスは、オフセット自体に使用されることがある名称である、「タイムアライメント」と称されることもある。
【００１０】
ＵＬ送信タイミングに対するオフセットは、ネットワークによって制御され得る。特に、ネットワークは、ＵＥにタイムアライメントコマンドを送り得る。単なる例として、タイムアライメントコマンドは、ある特定の量で現在のオフセットを増加または減少させるためにＵＥを制御することが可能である。しかしながら、ネットワークがアップリンク送信タイミングに対するオフセットを決定するタイムアライメントコマンドを提供するにしても、ネットワークはＵＥによって使用される厳密なオフセットを知らない場合がある。これは、ＵＥがネットワークによって送信されるタイムアライメントコマンドを必ずしも正確に検出するとは限らない場合があるからである。これが発生すると、ＵＥはオフセットを更新しないことになる。よって、オフセットは、ネットワークによって予想されるオフセットに必ずしも対応するとは限らない場合がある。
【００１１】
時分割複信（ＴＤＤ）動作
時分割複信（ＴＤＤ）、すなわち、同じキャリア周波数におけるダウンリンク送信およびアップリンク送信を可能にするために、スロット内の（アップリンクまたはダウンリンクのどちらか）ＯＦＤＭシンボルの一部は、送信されない場合がある。図３はこの態様を示す。これが生じると、対応する時間は代わりに、反対方向における送信に利用されてよい。よって、いくつかのＯＦＤＭシンボルがアップリンク方向において送信されない場合、これらのシンボルを送信するために使用されていると思われる時間はダウンリンク方向における送信に利用可能である。同様に、いくつかのＯＦＤＭシンボルがダウンリンク方向において送信されない場合、これらのシンボルを送信するために使用されていると思われる時間は、アップリンク方向における送信に利用可能である。
【００１２】
ダウンリンク制御情報およびＵＬスケジューリング
ダウンリンクスロットの最初のいくつかのシンボルは、ダウンリンク制御情報（ＤＣＩ）を含んでよい。これらのシンボルは、ダウンリンクスロットの「制御領域」または物理ダウンリンク制御チャネル（ＰＤＣＣＨ）領域と称されることが多い。図４は、２つのシンボルの制御領域の一実施形態を示す。この領域内で、ＤＣＩは、例えば、後続のアップリンク送信に使用するための時間／周波数リソースについてＵＥに通知するアップリンクスケジューリンググラントを保持してよい。しかしながら、制御領域が複数のＯＦＤＭシンボルに及ぶ場合でも、個々のＰＤＣＣＨは単一シンボルのみに及ぶ場合があるため、第１のシンボルまたは第２のシンボルのどちらかで送信可能である。
【００１３】
さらに、図５Ａ〜図５Ｂに見られるように、種々のタイプのＵＬスケジューリングがある。図５Ａは、「同じスロット」のスケジューリングと称される１つのタイプのスケジューリングを示す。同じスロットのスケジューリングによって、ＤＬスロットｎ内で送信されるＤＣＩは、対応するアップリンクスロットｎに対するスケジューリンググラントを保持する。図５Ｂに示される別のタイプのスケジューリングは、「後のスロット」のスケジューリングと称される。この名称が暗示するように、「後のスロット」のスケジューリングは、ｋ＞０である、後のアップリンクスロットｎ＋ｋに対するスケジューリンググラントを保持するダウンリンクスロットｎ内で送信されるＤＣＩに関係する。
【００１４】
いくつかの状況では、アップリンクスロットｍにおいて生じるようにスケジューリングされるアップリンク送信は、送信のためにタイムスロット全体を利用することができない場合があり、これによって、種々のスケジューリングタイプに対して種々の問題が生じる可能性がある。
【００１５】
例えば、「同じスロット」のスケジューリングによって、ＵＬ送信は、スケジューリンググラントがＵＥによって受信され、適正に復号される前に始めることができない。よって、アップリンクスロット内のアップリンク送信のための可能な限り早い開始位置は、限定はされないが、
・ダウンリンク制御領域のサイズ、
・制御領域内のＤＣＩ（すなわち、スケジューリンググラント）の位置、
・スケジューリンググラントを復号するためにＵＥが必要とする時間（この時間は、ＯＦＤＭシンボル期間に正規化される場合に異なるヌメロロジーに対して異なっている可能性があることに留意されたい）、および
・対応するダウンリンクスロットの開始に対するＵＬスロットの開始からのオフセット（すなわち、タイムアライメント値）
を含むいくつかの要因に左右される場合がある。
【００１６】
「後のスロット」のスケジューリングによって、スケジューリンググラントは典型的にはまた、スケジューリンググラントが有効であるアップリンクスロットの開始のかなり前にＵＥによって受信され、復号される。しかしながら、ＵＥは、スケジューリングされたアップリンク送信のためのアップリンクスロット全体を使用することが依然可能でない場合がある。
【００１７】
例えば、ＵＥは、アップリンクにおいてスケジューリングされる送信が行われるアップリンクスロットと重なるダウンリンク制御領域における可能なＤＣＩを依然受信しなければならない場合がある。しかしながら、同じ周波数におけるアップリンク送信およびダウンリンク送信によるＴＤＤシステムにおいて、ＵＥは、制御領域を受信するまでアップリンク上での送信を始めることができない。アップリンクにおいてスケジューリングされる送信が行われるアップリンクスロットと重なるダウンリンク制御領域をＵＥが受信する必要がない状況でも、ＵＥは依然、受信される制御領域と重なるアップリンクスロットの一部分における送信を回避しなければならない場合がある。これは、ＵＥ送信がダウンリンク情報を受信する必要がある他の近傍のデバイスと干渉する場合があるからである。
【００１８】
最後に、アップリンクにおいてスケジューリングされる送信が行われるアップリンクスロットと重なるダウンリンク制御領域が受信されていない状況において、アップリンクスロットの一部分は、先のダウンリンクスロットにおけるダウンリンク送信と重なる場合がある。しかしながら、アップリンク送信とダウンリンク送信との間の干渉を回避するために、アップリンク送信を、受信されるダウンリンク送信が終了するまで始めることができない。さらに、ＵＥ間干渉を回避するために、ＤＬ受信は、好ましくは、セルにおける全てのＵＥに対して終了しているべきである。
【００１９】
しかしながら、スケジューリングが同じスロットのアップリンクスケジューリングまたは後のスロットのアップリンクスケジューリングであるかどうかにかかわらず、アップリンクスロット内のスケジューリングされたアップリンク送信の開始位置は、いくつかの要因に左右される場合がある。これらの要因は、限定はされないが、
・任意の先のダウンリンク送信のエンドポイントであって、このような先のダウンリンク送信は、例えば、先のダウンリンクスロットにおけるダウンリンク送信、または、現在のダウンリンクスロット（すなわち、スケジューリングされたアップリンク送信が行われるアップリンクスロットに対応するダウンリンクスロット）の制御領域におけるＤＣＩに対応してよい、エンドポイント、
・制御領域内のＤＣＩの位置、
・スケジューリンググラントを復号するためにＵＥが必要とする時間、および、
・対応するダウンリンクスロットの開始に対するアップリンクスロットの開始からのオフセット（すなわち、タイムアライメント値）
を含む。
【００２０】
これらのパラメータのいくつかは、ネットワークおよびＵＥの両方に既知であるが、これはそうであるとは限らない。例えば、タイムアライメントコマンドの検出における誤差の不可避の存在により、ネットワークおよびＵＥは、厳密なタイムアライメントオフセットの同じ理解を有さない場合がある。さらにまたは代替的には、ＵＥおよびネットワークは、スケジューリンググラントを復号するためにＵＥが必要とする時間の同じ理解を共有しない場合がある。
【００２１】
それゆえに、１つの課題は、ＵＥが、スケジューリングされたＵＬ送信を始めるためのＵＬスロット内の位置を適正に決定することを可能にする明確に定義されたプロセスをＵＥに提供することである。別の課題は、ＵＬ送信がＵＬスロット内で始まる時を決定する能力をネットワークに提供することである。このような情報は、アップリンク送信の適正な検出および復調を可能にすることが考えられる。
【００２２】
本明細書の背景技術の節は、本開示の実施形態を技術および動作上の文脈に置くために提供され、それによって、これらの範囲および有用性を当業者が理解する助けとなっている。それ自体が明示的に特定されない限り、本明細書における記述は、単に背景技術の節に含めることによって先行技術であるとは認められない。
【発明の概要】
【００２３】
以下に、当業者に対して基本的な理解をもたらすために本開示の簡略化された概要を提示する。この概要は、本開示の包括的な概説ではなく、本開示の実施形態の主要な／重要な要素を特定すること、または本開示の範囲を叙述することを意図するものではない。この概要の唯一の目的は、以下に提示されるより詳細な説明に対する序文として簡略化された形式において本明細書に開示されるいくつかの概念を提示することである。
【００２４】
本明細書において説明され、特許請求される１つまたは複数の実施形態によると、開始位置またはシンボルは、ユーザ機器（ＵＥ）によって行われるスケジューリングされたアップリンク送信に対して決定される。
【００２５】
１つの実施形態では、ユーザ機器（ＵＥ）において実装される、アップリンクスロット内で、ＵＥがアップリンク送信を始める時を決定する方法が提供される。この実施形態では、本方法は、ＵＥが、無線ネットワークノードから、スケジューリングされたアップリンク送信のためのアップリンクスロット内の開始シンボルを識別するメッセージを受信することと、スケジューリングされたアップリンク送信を開始シンボルから無線ネットワークノードに送信することとを含む。
【００２６】
１つの実施形態では、スケジューリングされたアップリンク送信のためのアップリンクスロット内の開始シンボルを識別するメッセージは、ＵＥに送信されるスケジューリンググラント、および無線リソース制御（ＲＲＣ）シグナリングメッセージのうちの１つを含む。
【００２７】
１つの実施形態では、無線ネットワークノードから、スケジューリングされたアップリンク送信のためのアップリンクスロット内の開始シンボルを識別するメッセージを受信することは、スロット割当と共にシンボル開始位置を受信することを含む。
【００２８】
しかしながら、別の実施形態では、無線ネットワークノードから、スケジューリングされたアップリンク送信のためのアップリンクスロット内の開始シンボルを識別するメッセージを受信することは、スロット割当と別個にシンボル開始位置を受信することを含む。
【００２９】
シンボル開始位置がスロット割当と別個に受信される実施形態では、スロット割当は、制御メッセージにおいて受信され、シンボル開始位置はＲＲＣ設定される。
【００３０】
本開示の別の実施形態は、トランシーバ、およびトランシーバに動作可能に接続される処理回路を含むユーザ機器（ＵＥ）を提供する。トランシーバは、通信ネットワークにおいて無線ネットワークノードとデータを通信するように設定され、処理回路は、無線ネットワークノードから、スケジューリングされたアップリンク送信のためのアップリンクスロット内の開始シンボルを識別するメッセージを受信し、スケジューリングされたアップリンク送信を開始シンボルから無線ネットワークノードに送信するように設定される。
【００３１】
１つの実施形態では、スケジューリングされたアップリンク送信のためのアップリンクスロット内の開始シンボルを識別するメッセージは、ＵＥに送信されるスケジューリンググラント、および無線リソース制御（ＲＲＣ）シグナリングメッセージのうちの１つを含む。
【００３２】
１つの実施形態では、開始シンボルは、シンボル開始位置およびスロット割当を含み、処理回路は、スロット割当と共にシンボル開始位置を受信するように設定される。
【００３３】
しかしながら、別の実施形態では、処理回路は、スロット割当と別個にシンボル開始シンボルを受信するように設定される。
【００３４】
このような実施形態では、処理回路は、制御メッセージにおいてスロット割当を受信するように設定され、シンボル開始位置はＲＲＣ設定される。
【００３５】
本開示の１つの実施形態によると、無線ネットワークノードにおいて実装される、ユーザ機器（ＵＥ）によるスケジューリングされたアップリンク送信のための開始シンボルを決定する方法が提供される。この実施形態では、本方法は、無線ネットワークノードが、ＵＥによるスケジューリングされたアップリンク送信のためのアップリンクスロット内の開始シンボルを選択し、ＵＥに対して開始シンボルを識別することを含む。
【００３６】
１つの実施形態では、アップリンクスロット内の開始シンボルを選択することは、ダウンリンク（ＤＬ）制御領域の長さ、ＤＬ制御領域内のＰＤＣＣＨの位置、ダウンリンク制御情報（ＤＣＩ）を復号し、復号されたＤＣＩに基づいてスケジューリングされたアップリンク送信を準備するためにＵＥが必要とする処理時間、およびＵＥに提供されるタイムアライメントの量のうちの少なくとも１つに基づいて開始シンボルを選択することを含む。
【００３７】
１つの実施形態では、本方法は、ＵＥが必要とする処理時間を決定することをさらに含む。この実施形態では、処理時間を決定することは、直交周波数分割多重（ＯＦＤＭ）シンボル期間に応じて、物理アップリンク共有チャネル（ＰＵＳＣＨ）、物理ダウンリンク共有チャネル（ＰＤＳＣＨ）、および物理ダウンリンク制御チャネル（ＰＤＣＣＨ）のうちの１つまたは複数の特性に基づいて処理時間を調節することを含む。
【００３８】
１つの実施形態では、ＵＥに対して開始シンボルを識別することは、ＵＥに送信されるスケジューリンググラント、およびＵＥに送信される無線リソース制御（ＲＲＣ）シグナリングメッセージのうちの１つにおいて開始シンボルを識別することを含む。
【００３９】
別の実施形態では、ＵＥに対して開始シンボルを識別することは、ＵＥに送信されるタイムアライメントコマンドと共に開始シンボルを識別することを含む。
【００４０】
１つの実施形態では、本方法は、ＵＥに対して開始シンボルのスロット割当を識別することをさらに含む。
【００４１】
１つの実施形態では、本方法は、スロット割当と共にＵＥに対して開始シンボルを識別することをさらに含む。
【００４２】
１つの実施形態では、本方法は、スロット割当と別個にＵＥに対して開始シンボルを識別することをさらに含む。
【００４３】
開始シンボルがスロット割当と別個に識別される実施形態では、本方法は、ＵＥに送信されるＤＣＩにおいてスロット割当を識別することと、ＵＥに送信されるＲＲＣシグナリングメッセージにおいて開始シンボルを識別することとを含む。
【００４４】
１つの実施形態では、ＵＥに対して開始シンボルを識別することは、ＵＥに対してアップリンクスロット内の公称開始位置を識別することを含む。
【００４５】
１つの実施形態では、ＵＥに対して開始シンボルを識別することは、所定の制御領域サイズ、所定のＰＤＣＣＨ位置、および先のダウンリンク送信と関連付けられた所定の終了位置であって、アップリンクスロットに対応するダウンリンクスロット、およびアップリンクスロットより前に生じるダウンリンクスロットのうちの１つを規定する、所定の終了位置のうちの１つまたは複数に基づいて、アップリンクスロット内の開始位置を識別することを含む。
【００４６】
１つの実施形態では、アップリンクスロットは、スロットの第１の部分に含まれ、スロットの第２の部分は、ダウンリンクスロットを含む。
【００４７】
本開示の１つの実施形態によると、トランシーバと、トランシーバに動作可能に接続される処理回路とを含む無線ネットワークノードが提供される。トランシーバは、ユーザ機器（ＵＥ）とデータを通信するように設定され、処理回路は、ＵＥによるスケジューリングされたアップリンク送信のためのアップリンクスロット内の開始シンボルを選択するように、およびトランシーバを介してＵＥに対して開始シンボルを識別するように設定される。
【００４８】
１つの実施形態において、処理回路は、ダウンリンク（ＤＬ）制御領域の長さ、ＤＬ制御領域内のＰＤＣＣＨの位置、ダウンリンク制御情報（ＤＣＩ）を復号し、復号されたＤＣＩに基づいてスケジューリングされたアップリンク送信を準備するためにＵＥが必要とする処理時間、およびＵＥによって適用されるタイムアライメントの量のうちの少なくとも１つに基づいて開始シンボルを選択するように設定される。
【００４９】
１つの実施形態では、処理回路は、直交周波数分割多重（ＯＦＤＭ）シンボル期間に応じて、物理アップリンク共有チャネル（ＰＵＳＣＨ）、物理ダウンリンク共有チャネル（ＰＤＳＣＨ）、および物理ダウンリンク制御チャネル（ＰＤＣＣＨ）のうちの１つまたは複数の特性に基づいて処理時間を調節することによって、ＵＥが必要とする処理時間を決定するように設定される。
【００５０】
１つの実施形態では、処理回路は、ＵＥに送信されるスケジューリンググラント、およびＵＥに送信される無線リソース制御（ＲＲＣ）シグナリングメッセージのうちの少なくとも１つにおいて開始シンボルを識別するように設定される。
【００５１】
１つの実施形態では、処理回路は、ＵＥに送信されるタイムアライメントコマンドと共に開始シンボルを識別するように設定される。
【００５２】
１つの実施形態では、処理回路は、ＵＥに対して開始シンボルのスロット割当を識別するようにさらに設定される。
【００５３】
１つの実施形態では、処理回路は、スロット割当と共に開始シンボルを識別するように設定される。
【００５４】
１つの実施形態では、処理回路は、スロット割当と別個に開始シンボルを識別するように設定される。
【００５５】
１つの実施形態では、スロット割当と別個に開始シンボルを識別するために、処理回路は、ＵＥに送信されるＤＣＩにおいてスロット割当を識別し、ＵＥに送信されるＲＲＣシグナリングメッセージにおいて開始シンボルを識別するように設定される。
【００５６】
１つの実施形態では、処理回路は、ＵＥに対してアップリンクスロット内の実際の開始位置を識別するように設定される。
【００５７】
１つの実施形態では、処理回路は、所定の制御領域サイズ、所定のＰＤＣＣＨ位置、および先のダウンリンク送信と関連付けられた所定の終了位置であって、アップリンクスロットに対応するダウンリンクスロット、およびアップリンクスロットより前に生じるダウンリンクスロットのうちの１つを規定する、所定の終了位置のうちの１つまたは複数に基づいて、ＵＥが使用するための開始位置を識別するように設定される。
【００５８】
１つの実施形態では、アップリンクスロットは、スロットの第１の部分に含まれ、スロットの第２の部分は、ダウンリンクスロットを含む。
【００５９】
ここで、本開示については、本開示の実施形態が示されている添付の図面を参照して以降より詳しく説明する。しかしながら、これらの実施形態は、本明細書に示される実施形態に限定されると解釈されるべきではない。もっと正確に言えば、これらの実施形態は、本開示が完璧かつ完全なものになるようにして、本開示の範囲を当業者に十分に伝達するように提供される。
【図面の簡単な説明】
【００６０】
【図１】１つの実施形態による１４シンボルの新無線（ＮＲ）スロットの一例を示す図である。
【図２】１つの実施形態による、アップリンクスロットがダウンリンクスロットに対する負の送信オフセットを有するアップリンク送信タイミングを示す図である。
【図３】１つの実施形態による、時分割複信（ＴＤＤ）動作と関連付けられたアップリンクスロットおよびダウンリンクスロットの両方における送信部分および非送信部分を示す図である。
【図４】１つの実施形態によるＮＲダウンリンクスロットにおけるダウンリンク制御領域を示す図である。
【図５Ａ】１つの実施形態による、同じスロットのスケジューリングおよび後のスロットのスケジューリングをそれぞれ示す図である。
【図５Ｂ】１つの実施形態による、同じスロットのスケジューリングおよび後のスロットのスケジューリングをそれぞれ示す図である。
【図６】１つの実施形態による、ＵＥにおいて実装される、アップリンクスロット内の開始シンボルを決定する方法を示すフロー図である。
【図７】１つの実施形態による、無線ネットワークノードにおいて実装される、アップリンクスロット内の開始シンボルを決定する方法を示すフロー図である。
【図８】別の実施形態による、無線ネットワークノードにおいて実装される、アップリンクスロット内の開始シンボルを決定する方法を示すフロー図である。
【図９Ａ】１つの実施形態による、無線ネットワークノードにおいて実装される、アップリンクスロット内の開始シンボルを決定し、ＵＥに対して開始シンボルを識別する方法を示すフロー図である。
【図９Ｂ】１つの実施形態による、ＵＥにおいて実装される、無線ネットワークノードから受信される情報に基づいてアップリンクスロット内の開始シンボルを決定する方法を示すフロー図である。
【図９Ｃ】無線ネットワークノードにおいて実装される、ＰＵＳＣＨ割り当てにおける第１のシンボルが次のアップリンクシンボルより早く生じるかどうかを決定する方法を示すフロー図である。
【図９Ｄ】１つの実施形態による、無線ネットワークノードにおいて実装される、アップリンクスロット内の開始シンボルを決定し、ＵＥに対して開始シンボルを識別する方法を示すフロー図である。
【図１０】本開示の１つの実施形態に従って設定されるＵＥを示すブロック図である。
【図１１】本開示の１つの実施形態に従って設定される無線ネットワークノードを示すブロック図である。
【図１２】本開示の１つの実施形態によるＵＥにおける処理回路内の物理ユニットを示す図である。
【図１３】本開示の１つの実施形態によるＵＥにおけるメモリ内のソフトウェアモジュールを示す図である。
【図１４】本開示の１つの実施形態による無線ネットワークノードにおける処理回路内の物理ユニットを示す図である。
【図１５】本開示の１つの実施形態による無線ネットワークノードにおけるメモリ内のソフトウェアモジュールを示す図である。
【発明を実施するための形態】
【００６１】
簡略化および例示の目的で、本開示を、主に本例示の例示的な実施形態に言及することによって説明する。以下の説明では、本開示を完璧に理解してもらうために、多数の具体的な詳細が示されている。しかしながら、本開示がこれらの具体的な詳細に限定されることなく実施され得ることは、当業者には容易に明らかとなるであろう。この説明では、周知の方法および構造は、本開示を不必要に不明瞭にしないように、詳細に説明されていない。
【００６２】
本開示の実施形態は、例えば、基地局など、無線ネットワークノードまたはデバイスに対してＵＥによってなされるスケジューリングされたアップリンク送信に対して、アップリンクスロット内の開始位置またはシンボルを決定することに関する。そのように決定されることで、ＵＥは、開始シンボルから無線ネットワークノードにスケジューリングされたアップリンク送信を送信することができる。
【００６３】
開始位置を決定するためのさまざまな方法がある。例えば、図６に見られる１つの実施形態は、ＵＥが開始シンボルを自律的に決定する方法１０を提供する。図６に見られるように、ＵＥは最初に、基地局へのスケジューリングされたアップリンク送信のためのアップリンクスロット内の開始シンボルを自律的に決定する（ボックス１２）。そのように決定されることで、ＵＥは開始シンボルから基地局にスケジューリングされたアップリンク送信を送信する（ボックス１４）。
【００６４】
いくつかの実施形態では、アップリンクスロットは、スロットの第１の部分または「アップリンク部分」を含み、ＵＥから無線ネットワークノードへのアップリンク送信のために使用されるまたは確保されるシンボルを保持する。このような実施形態では、スロットはまた、無線ネットワークノードからＵＥへのダウンリンク送信のために使用されるまたは確保されるシンボルを保持する第２の部分または「ダウンリンク部分」を含んでよい。しかしながら、他の実施形態では、スロット全体（すなわち、７または１４の連続したＯＦＤＭシンボル全て）は、アップリンクまたはダウンリンクどちらかにおいてシンボルを通信するために利用されてよい。これらのケースでは、スロット全体は、アップリンクスロットまたはダウンリンクスロットのどちらかを含むと思われる。
【００６５】
本実施形態は、ＵＥが、さまざまな異なるパラメータを考慮してスケジューリングされたアップリンク送信のための開始シンボルを自律的に決定するように設定する。このようなパラメータは、限定はされないが、以下、
・任意の先のダウンリンク送信のエンドポイントであって、これは、例えば、先のダウンリンクスロットにおけるダウンリンク送信、または制御領域におけるＤＣＩ、または現在のダウンリンクスロット、すなわち、スケジューリングされたアップリンク送信が行われるアップリンクスロットに対応するダウンリンクスロットの制御領域長に対応してよい、エンドポイント、
・ダウンリンク制御領域内のＤＣＩの位置、
・ＤＣＩを復号し、復号されたＤＣＩに基づいてアップリンク送信を準備するために必要とされる処理時間（この時間は、ＯＦＤＭシンボル期間に正規化される場合、異なるヌメロロジーに対して異なっている可能性がある。すなわち、例えば、物理ダウンリンク共有チャネル（ＰＤＳＣＨ）および／もしくは物理ダウンリンク制御チャネル（ＰＤＣＣＨ）、ならびに／または物理アップリンク共有チャネル（ＰＵＳＣＨ）のＯＦＤＭヌメロロジーなどの異なるヌメロロジーも影響を与える可能性がある）、および
・ＵＥ側で適用されるタイムアライメントの絶対量
を含んでよい。
【００６６】
いくつかの事例では、開始シンボルに関してネットワークとＵＥとの間に誤解が生じる可能性がある。このような誤解に対処するために、ネットワークは、種々の開始シンボルを想定してアップリンク物理アップリンク共有チャネル（ＰＵＳＣＨ）送信を復調および復号することを試みてよい。
【００６７】
より詳細には、ネットワークはダウンリンク制御領域の長さおよび制御領域内のＤＣＩの位置を知っているが、ネットワークおよびＵＥは開始シンボルの同じ理解を有さない場合がある。すなわち、ネットワークおよびＵＥは、アップリンクスロット内で、ＵＥが送信を開始する時の同じ理解を有さない場合がある。この理由は、上記のように、不正確に受信されたタイムアライメントコマンドによるものである可能性がある。より詳細には、このように不正確に受信されたコマンドにより、ネットワークおよびＵＥは、ＵＥ側で適用されたタイムアライメントの絶対量の同じ理解を有さない場合がある。また、ＵＥおよびネットワークは、ＤＣＩを復号し、アップリンク送信を準備するためにＵＥが必要とする処理時間の同じ理解を必ずしも有さなくてよい。
【００６８】
このような状況に対処するために、１つの実施形態は、ネットワークが、種々の開始シンボルを想定してアップリンクＰＵＳＣＨ送信を試みること、復調すること、および復号するように設定する。復号されると、ネットワークは、送信が正確に復号されたかどうかを決定することによって復号された送信を検証することになる。送信が適正に復号されたことをネットワークが決定するという条件で、ネットワークは開始シンボルを現在選択されている開始シンボルとして識別することができる。
【００６９】
本実施形態は、送信が種々のやり方で正確に復号されているかどうかを検証することができる。例えば、低密度パリティ検査（ＬＤＰＣ）符号などの線形誤り訂正符号は、このような符号が、復号された送信が正確であるかどうかを検証可能であるため、利用可能である。しかしながら、１つの実施形態では、検証は、巡回冗長検査（ＣＲＣ）に基づいている。具体的には、送信を復号すると、ネットワークは、復号された送信のＣＲＣ値を決定し、その値を、アップリンク送信に含まれる対応するＣＲＣ値と比較する。比較の結果に基づいて、ネットワークは、その後、どの開始シンボルが正確な開始シンボルであることを検出することが可能であってよい。特に、ＣＲＣ値がマッチする場合、ネットワークは、送信を復号するための開始シンボルとして選択されたシンボルが開始シンボルであることを決定してよい。しかしながら、ＣＲＣ値がマッチしない場合、ネットワークは、送信を復号するための開始シンボルとして選択されたシンボルが開始シンボルでないことを決定してよい。これらの後者のケースでは、ネットワークは、異なるシンボルを使用して送信の復号を繰り返してよい。多くは、トランスポートブロックが複数のコードブロックにセグメント化される。従って、いくつかの実施形態では、種々の開始シンボル仮説下で最も早いコードブロックを復調することを試みることで十分である。
【００７０】
図７は、１つの実施形態による本開示のこの態様を示すフロー図である。より詳細には、図７に見られるように、方法２０は、無線ネットワークノード（例えば、基地局）が、ＵＥからスケジューリングされたアップリンク送信を受信する（ボックス２２）ことから始める。スケジューリングされたアップリンク送信は１つまたは複数のシンボルを含む。受信されると、無線ネットワークノードは、１つまたは複数のシンボルのうちのどれがスケジューリングされたアップリンク送信のための開始シンボルであるかを、スケジューリングされた送信を復調し復号することによって決定する（ボックス２４）。
【００７１】
図８は、無線ネットワークノードにおいて開始シンボルを決定するための方法３０をより詳細に示すフロー図である。方法３０は、無線ネットワークノードが、スケジューリングされたアップリンク送信で受信された１つまたは複数のシンボルからシンボルを選択する（ボックス３２）ことから始める。例えば、任意に選択されてよい選択されたシンボルは、次いで、開始シンボルであると想定される。無線ネットワークノードはさらにまた、選択されたシンボルを開始シンボルとして使用して、スケジューリングされたアップリンク送信を復調し、復号する（ボックス３４）。無線ネットワークノードはその後、復号済みのスケジューリングされたアップリンク送信と関連付けられた巡回冗長検査（ＣＲＣ）値を、スケジューリングされたアップリンク送信において受信された対応するＣＲＣ値と比較する（ボックス３６）。ＣＲＣ値がマッチしない（ボックス３８）場合、無線ネットワークノードは、別の異なるシンボルを開始シンボルとして選択し（ボックス４０）、復調／復号およびＣＲＣ比較ステップを繰り返す。その他の場合、ＣＲＣがマッチする（ボックス３８）という条件で、無線ネットワークノードは選択されたシンボルを開始シンボルとして識別する（ボックス４２）。
【００７２】
図９Ａに見られる、開始位置を決定するための別の方法５０では、ネットワークは、アップリンクスロット内の開始シンボルを決定し、その開始シンボルをＵＥにシグナリングする。そのように通知されることで、ＵＥは、アップリンクスロット内のどの開始シンボルにおいて送信を開始するべきかを知ることになる。
【００７３】
図９Ａに見られるように、無線ネットワークノードは、ＵＥによるスケジューリングされたアップリンク送信のためのアップリンクスロット内の開始シンボルを選択し（ボックス５２）、開始シンボル、および開始シンボルのスロット割当のうちの１つまたは両方をＵＥに対して識別する（ボックス５４）。
【００７４】
図９Ｄは、開始シンボルを決定し、その開始シンボルをＵＥにシグナリングするための別の方法８０を示す。より詳細には、無線ネットワークノードは、いくつかの実施形態では、ＵＥによるスケジューリングされたアップリンク送信のためのアップリンクスロット内の開始シンボルを選択し（ボックス８２）、ＵＥが必要とする処理時間を決定し（ボックス８４）、およびさらにまた、開始シンボル、および開始シンボルのスロット割当のうちの１つまたは両方をＵＥに対して識別する（ボックス８６）ことができる。
【００７５】
上記のように、ネットワークがＵＥに対して開始シンボルを決定するまたは選択するために考慮可能であるさまざまなパラメータがある。これらのパラメータは、限定はされないが、以下、
・ダウンリンク制御領域の長さ、
・制御領域内のＤＣＩの位置、
・ＤＣＩを復号し、復号されたＤＣＩに基づいてアップリンク送信を準備するためにＵＥが必要とする処理時間のネットワークによる理解（この時間は、ＯＦＤＭシンボル期間に正規化される場合、種々のヌメロロジーに対して異なっている可能性がある。すなわち、種々のヌメロロジー、例えば、ＰＤＳＣＨおよび／もしくはＰＤＣＣＨ、ならびに／またはＰＵＳＣＨのＯＦＤＭヌメロロジーも影響を与える可能性がある）、および
・ＵＥ側で適用されるタイムアライメントの絶対量のネットワークによる理解
を含む。
【００７６】
ネットワークによる開始シンボルの選択は、典型的には、ＵＥにおいて適用される絶対的タイムアライメント、およびＵＥにおける必要とされる処理時間のネットワークによる理解が完全に精確ではない場合があるけれども、ＵＥが、ＤＣＩを受信し処理し、およびアップリンク送信を準備するのに十分な時間を有するように徹底するための余地を含むことが考えられる。
【００７７】
さらに、開始シンボルをＵＥにシグナリングするためのさまざまなやり方がある。例えば、開始点のシグナリングは、スケジューリンググラントに含まれ得る。代替的には、開始点のシグナリングは、より遅い送達手段、例えば、無線リソース制御（ＲＲＣ）シグナリングを使用して実装され得る。シグナリングは例えば、ネットワークがＵＥにタイムアライメントコマンドを提供する度に行われ得る、またはシグナリングは行われる頻度が低い可能性がある。さらに、割当が有効であるのはどのスロットかについてのシグナリングは、シンボル開始位置と共にまたはシンボル開始位置と別個にシグナリングされ得る。例えば、スロット割当は、ＤＣＩにおいてシグナリグ可能であり、シンボル開始位置はＲＲＣ設定される。代替的には、スロット割当およびシンボル開始位置の両方は、ＤＣＩにおいてシグナリングされ得る。１つの実施形態では、ＤＣＩはフィールド「Ｘ」を含み、開始シンボルは「Ｘ」の関数である。すなわち、１つの実施形態では、開始シンボルはｆ（Ｘ）である。
【００７８】
１つの実施形態では、アップリンクスロット内の開始位置またはシンボルをシグナリングするネットワークは、アップリンクスロット内の実際の開始位置を指示することが可能である。しかしながら、代替的には、図９Ｂの方法５６に見られるように、ネットワークはＵＥが使用するものとするアップリンクスロット内の公称開始位置を指示することが可能である。公称開始位置は、公称制御領域サイズおよび／もしくは公称ＤＣＩ位置、ならびに／または先のＤＬ送信（すなわち、同じスロットにおける送信または先のスロットにおけるＤＬ送信のどちらか）の公称終了位置を想定して決定されてよい。ＵＥがスケジューリングされたアップリンク送信のためのアップリンクスロット内の公称開始位置を受信する（ボックス５８）と、ＵＥによる使用のためのアップリンクスロット内の実際の開始位置は、公称開始位置に基づいて決定されるものとする（ボックス６０）。次いで、ＵＥは、開始シンボルから無線ネットワークノードにスケジューリングされたアップリンク送信を送信することができる（ボックス６２）。
【００７９】
１つの実施形態では、アップリンクスロット内の実際の開始位置は、これが動的に変化している可能性があることを想定したＰＤＣＣＨ領域のサイズ、および／またはＰＤＣＣＨ領域内の実際のＤＣＩ位置または先のＤＬ送信の終わりに応じて決定されてよい。例えば、１つの実施形態では、アップリンクスロット内の公称開始位置は、ダウンリンク上でスケジューリンググラントにおいてＵＥにシグナリングされる。グラントを受信すると、ＵＥは、ダウンリンク送信のための実際のまたは所定の終了位置、ＤＣＩに対する実際のまたは所定の位置、および制御領域に対する実際のまたは所定の終了位置のうちの１つまたは複数を決定することができる。そのように通知されることで、ＵＥはさらにまた、公称開始位置、他の公称値のうちの少なくとも１つ、および実際のまたは所定の値のうちの少なくとも１つに基づいて実際の開始位置を決定してよい。よって、単なる例としてダウンリンク送信の終了位置を使用して、ＵＥは、以下の式、
ＳｔａｒｔＰｏｓＡＣＴＵＡＬ＝ＳｔａｒｔＰｏｓＮＯＭＩＮＡＬ＋ＤＬ  ＥｎｄＰｏｓＡＣＴＵＡＬ−ＤＬ  ＥｎｄＰｏｓＮＯＭＩＮＡＬ（１）
を使用してスケジューリングされたアップリンク送信のための実際の開始位置を決定してよい。式中、
・ＳｔａｒｔＰｏｓＡＣＴＵＡＬは、ＵＥによって計算されるスケジューリングされたアップリンク送信のための実際の開始位置であり、
・ＳｔａｒｔＰｏｓＮＯＭＩＮＡＬは、無線ネットワークノードによってＵＥに提供される公称開始位置であり、
・ＤＬ  ＥｎｄＰｏｓＡＣＴＵＡＬは、ダウンリンク送信のための実際のまたは所定の終了位置であり、
・ＤＬ  ＥｎｄＰｏｓＮＯＭＩＮＡＬは、ダウンリンク送信のための公称終了位置である。
【００８０】
ＤＬ  ＥｎｄＰｏｓＡＣＴＵＡＬおよびＤＬ  ＥｎｄＰｏｓＮＯＭＩＮＡＬが同じである状況において、実際の開始位置（ＳｔａｒｔＰｏｓＡＣＴＵＡＬ）および公称開始位置（ＳｔａｒｔＰｏｓＮＯＭＩＮＡＬ）も同じである。しかしながら、ＤＬ  ＥｎｄＰｏｓＡＣＴＵＡＬがＤＬ  ＥｎｄＰｏｓＮＯＭＩＮＡＬより後に生じる場合、実際の開始位置（ＳｔａｒｔＰｏｓＡＣＴＵＡＬ）を遅延させることになる。
【００８１】
上記の等式（１）における、実際および公称両方のダウンリンク終了位置の使用が例示の目的に過ぎないことは、留意されるべきである。実際のＤＣＩ位置および公称ＤＣＩ位置の両方、ならびに制御領域終了位置を表すパラメータが等式（１）において利用されてよいことを、当業者は理解するべきである。
【００８２】
図９Ｃに示される別の実施形態では、アップリンクスロット内の実際の開始位置は、ＵＥ  ＰＵＳＣＨ準備手続き時間を考慮して決定されてよい。方法７０に見られるように、これは、ＰＤＣＣＨの終わりとＰＵＳＣＨの始めとの間の時間に基づいており、ＵＥが処理するのに必要とされる最小時間である。特に、方法７０は、復調用参照信号（ＤＭ−ＲＳ）を含むＰＵＳＣＨ割り当てにおける第１のシンボルがシンボルＬ２より早く生じるかどうかを決定する（ボックス７２）ことによって始める。ＰＵＳＣＨ割り当てにおける第１のシンボルがシンボルＬ２以降に生じる（ボックス７４）場合、ＵＥはスケジューリングＤＣＩに従う（ボックス７６）。その他の場合、ＵＥはスケジューリングＤＣＩを無視することができる（ボックス７８）。
【００８３】
この実施形態では、シンボルＬ２は、ＵＥにおいて直接測定され、ＰＵＳＣＨをスケジューリングするＤＣＩを保持するＰＤＣＣＨの最終シンボルの後に、
（（Ｎ２＋ｄ２）（ＳＤＣＨＩＰＳ＋ＣＰＬＥＮＧＴＨ）ＣＳＣＳ）ＴＣ秒
で開始する、そのＣＰを有する次のアップリンクシンボルとして規定される。ここで、
Ｎ２は、ＵＥの能力に基づいており、以下の表のうちの１つに従ってシンボルでのＰＵＳＣＨ準備時間を規定し、ここで、「μ」はヌメロロジーを識別する（例えば、０−１５ｋＨｚ、１−３０ｋＨｚなど）：
2020516126.tif 000004
2020516126.tif 000005
Ｎ２およびＫ２は、送信されるＰＵＳＣＨのヌメロロジーに基づき、
ｄ２は、ＰＵＳＣＨ割り当ての第１のシンボルがＤＭ−ＲＳのみで構成される／されないかどうかに基づく値であり、ここで、
ＰＵＳＣＨ割り当ての第１のシンボルがＤＭ−ＲＳのみで構成される場合、ｄ２＝０であり、
ＰＵＳＣＨ割り当ての第１のシンボルがＤＭ−ＲＳのみで構成されない場合、ｄ２＝１であり、
ＳＤＣＨＩＰＳはチップにおいて測定されるシンボル期間である。ＯＦＤＭについて、１つの例は、
ＳＤＣＨＩＰＳ＝２０４８
とすることができる。
ＣＰＬＥＮＧＴＨはサイクリックプレフィックスの長さである。例えば、ＣＰＬＥＮＧＴＨの値は１４４である。
ＣＳＣＳは以下の値：
μＵＬ＜μＤＬである場合、ＣＳＣＳ＝К×２−μＤＬであり、
その他の場合、ＣＳＣＳ＝К×２−μＵＬであり、ここでКはＴｓ／Ｔｃの比率として規定され、６４に等しい値のうちの１つを有するヌメロロジー依存の定数である。
ＴＣは、４０９６のサブキャリア、および４８０ｋＨｚのサブキャリア間隔を想定したＯＦＤＭチップ期間として規定される。すなわち、ＴＣ＝１／（４８０ｅ３＊４０９６）秒である。ＣＳＣＳ＊ＴＣはヌメロロジーμのＯＦＤＭチップ期間である。
ＴＳはＬＴＥのＯＦＤＭチップ期間として規定される。すなわち、２０４８のサブキャリア、および１５ｋＨｚのサブキャリア間隔を想定して、ＴＳ＝１／（１５ｅ３＊２０４８）秒である。
【００８４】
図１０は、本開示の実施形態による、アップリンクスロット内の開始シンボルを決定するように設定されるＵＥ９０を示す機能ブロック図である。図１０に見られるように、例えば、携帯電話または「スマートフォン」であってよいＵＥ９０は、処理回路９２、メモリ９４、オプションのユーザインターフェース９６、および、例えば、トランシーバ９８などの通信インターフェース回路構成を含む。ＵＥ９０が、ここで具体的に図示されない他のコンポーネントを含んでよいまたは含まなくてよいことを、当業者は容易に理解するであろう。
【００８５】
処理回路９２は、（例えば、個別論理、ＦＰＧＡ、ＡＳＩＣなどにおける）１つまたは複数のハードウェア実装された状態マシンなど、メモリ９４においてマシン可読コンピュータプログラムとして記憶されるマシン命令を実行するように動作可能な任意の逐次状態マシン、適切なファームウェアと共にあるプログラマブル論理、１つまたは複数の記憶されたプログラム、マイクロプロセッサまたはデジタル信号プロセッサ（ＤＳＰ）などの汎用プロセッサ、または上記の任意の組み合わせを含んでよい。
【００８６】
メモリ９４は、限定はされないが、磁気媒体（例えば、フロッピーディスク、ハードディスクドライブなど）、光媒体（例えば、ＣＤ−ＲＯＭ、ＤＶＤ−ＲＯＭなど）、またはソリッドステート媒体（例えば、ＳＲＡＭ、ＤＲＡＭ、ＤＤＲＡＭ、ＲＯＭ、ＰＲＯＭ、ＥＰＲＯＭ、フラッシュメモリ、ソリッドステートディスクなど）などを含む、当技術分野で既知である、または開発可能である任意の非一時的なマシン可読媒体を含んでよい。
【００８７】
ユーザインターフェース９６は、ユーザがＵＥ９０と対話することおよびＵＥ９０の機能性を制御することを可能にするさまざまなデバイスおよび回路を含んでよい。このようなインターフェースは、限定はされないが、ディスプレイ画面、タッチ感知ディスプレイ、キーパッド、制御ボタン、マイクロホン、およびスピーカなどを含んでよい。
【００８８】
通信インターフェース回路構成９８は、ＩＥＥＥ８０２．ｘｘ、ＣＤＭＡ、ＷＣＤＭＡ、ＧＳＭ、ＬＴＥ、ＵＴＲＡＮ、ＷｉＭａｘ、ＮＢ−ＩｏＴ、またはＮＲなど、当技術分野で既知であるまたは開発可能である１つまたは複数の通信プロトコルに従って無線アクセスネットワーク（ＲＡＮ）を介して１つまたは複数の他のトランシーバ（例えば、基地局）と通信するために使用される１つまたは複数のトランシーバを含んでよい。通信インターフェース回路構成９８は、ＲＡＮリンクに対して適切な送信機および受信機の機能性を実行する（例えば、周波数割り当てなど）。送信機および受信機の機能は、回路部品および／またはソフトウェアを共有することができる、あるいは、別個に実装されてよい。
【００８９】
本開示の実施形態によると、メモリ９４はソフトウェア１００を記憶するように動作可能であり、処理回路９２はソフトウェア１００を実行するように動作可能である。ソフトウェア１００は、処理回路９２によって実行される場合、ＵＥ９０に、基地局へのスケジューリングされたアップリンク送信のためのアップリンクスロット内の開始シンボルを自律的に決定させ、開始シンボルから基地局にスケジューリングされたアップリンク送信を送信させるように動作可能であってよい。
【００９０】
図１１は、本開示の実施形態による、アップリンクスロット内の開始シンボルを決定するように設定される無線ネットワークノード１１０を示す機能ブロック図である。図１１に見られるように、無線ネットワークノード１１０はＵＥと通信することが可能な任意のタイプのデバイスである。いくつかの実施形態における無線ネットワークノード１１０は、従って、例えば、基地局またはアクセスポイントに言及してよい。しかしながら、他の実施形態では、無線ネットワークノード１１０は、デバイス間（Ｄ２Ｄ）実施形態におけるＵＥ（例えば、スマートフォン）、マシン間（Ｍ２Ｍ）デバイス、マシン型通信（ＭＴＣ）デバイス、狭帯域のモノのインターネット（ＮＢ  ＩｏＴ）デバイス、またはより一般的には、ダウンリンクスロットにおいて送信し、アップリンクスロットにおいて受信するように設定されるイニシエータノード、およびアップリンクスロットにおいて送信し、ダウンリンクスロットにおいて受信するように設定されるレスポンダノードなどに言及してよい。しかしながら、特定の実施形態に関係なく、無線ネットワークノード１００は、処理回路１１２、メモリ１１４、オプションのユーザインターフェース１１６、および例えば、トランシーバなどの通信インターフェース回路構成１１８を含む。無線ネットワークノード１１０が、ここで具体的に示されない他のコンポーネントを含んでよいまたは含まなくてよいことを、当業者は容易に理解するであろう。
【００９１】
処理回路１１２は、（例えば、個別論理、ＦＰＧＡ、ＡＳＩＣなどにおける）１つまたは複数のハードウェア実装された状態マシンなど、メモリ１１４においてマシン可読コンピュータプログラムとして記憶されるマシン命令を実行するように動作可能な任意の逐次状態マシン、適切なファームウェアと共にあるプログラマブル論理、１つまたは複数の記憶されたプログラム、マイクロプロセッサまたはデジタル信号プロセッサ（ＤＳＰ）などの汎用プロセッサ、または上記の任意の組み合わせを含んでよい。
【００９２】
メモリ１１４は、限定はされないが、磁気媒体（例えば、フロッピーディスク、ハードディスクドライブなど）、光媒体（例えば、ＣＤ−ＲＯＭ、ＤＶＤ−ＲＯＭなど）、またはソリッドステート媒体（例えば、ＳＲＡＭ、ＤＲＡＭ、ＤＤＲＡＭ、ＲＯＭ、ＰＲＯＭ、ＥＰＲＯＭ、フラッシュメモリ、ソリッドステートディスクなど）などを含む、当技術分野で既知であるまたは開発可能である任意の非一時的なマシン可読媒体を含んでよい。
【００９３】
ユーザインターフェース１１６はオプションである。しかしながら、存在する時、ユーザインターフェース１１６は、ユーザが無線ネットワークノード１１０と対話することおよび無線ネットワークノード１１０の機能性を制御することを可能にするさまざまなデバイスおよび回路を含んでよい。このようなインターフェースは、限定はされないが、ディスプレイ画面、タッチ感知ディスプレイ、キーパッド、キーボード、制御ボタン、マイクロホン、およびスピーカなどを含んでよい。
【００９４】
通信インターフェース回路構成１１８は、ＩＥＥＥ８０２．ｘｘ、ＣＤＭＡ、ＷＣＤＭＡ、ＧＳＭ、ＬＴＥ、ＵＴＲＡＮ、ＷｉＭａｘ、ＮＢ−ＩｏＴ、またはＮＲなど、当技術分野で既知であるまたは開発可能である１つまたは複数の通信プロトコルに従って無線アクセスネットワーク（ＲＡＮ）を介して１つまたは複数の他のトランシーバ（例えば、基地局）と通信するために使用される１つまたは複数のトランシーバを含んでよい。通信インターフェース回路構成１１８は、ＲＡＮリンクに対して適切な送信機および受信機の機能性を実行する（例えば、周波数割り当てなど）。送信機および受信機の機能は、回路部品および／またはソフトウェアを共有することができる、あるいは、別個に実装されてよい。
【００９５】
本開示の実施形態によると、メモリ１１４はソフトウェア１２０を記憶するように動作可能であり、処理回路１１２はソフトウェア１２０を実行するように動作可能である。１つの実施形態では、ソフトウェア１２０は、処理回路１１２によって実行される場合、処理回路１１２に、１つまたは複数のシンボルを含むＵＥからのスケジューリングされたアップリンク送信を受信させ、スケジューリングされたアップリンク送信の復調および復号に基づいて、１つまたは複数のシンボルのうちのどれがスケジューリングされたアップリンク送信のための開始シンボルかを決定させるように動作可能である。
【００９６】
別の実施形態では、ソフトウェア１２０は、処理回路１１２によって実行される場合、処理回路１１２に、ＵＥによるスケジューリングされたアップリンク送信のためのアップリンクスロット内の開始シンボルを選択させ、ＵＥに対して開始シンボルを識別させるように動作可能である。
【００９７】
図１２は、図１０のＵＥ９０におけるものなどの例示の処理回路９２を示す。処理回路９２は、１つまたは複数の物理ユニットを含む。特に、処理回路９２は、開始シンボル決定ユニット１３０、送信ユニット１３２、受信ユニット１３４、および調節ユニット１３６を含むことができる。開始シンボル決定ユニット１３０は、基地局などの無線ネットワークノードに対するスケジューリングされたアップリンク送信のためのアップリンクスロット内の開始シンボルを自律的に決定するように設定される。送信ユニット１３２は、開始シンボルから無線ネットワークノードにスケジューリングされたアップリンク送信を送信するように設定される。受信ユニット１３４は、無線ネットワークノードがＵＥ９０に開始位置を提供する場合にアップリンクスロット内の公称または実際の開始位置を受信するように設定される。いくつかの実施形態では、無線ネットワークノードによって提供される開始位置は実際の開始位置ではない場合があるため、調節ユニット１３６は、スケジューリングされたアップリンク送信のためのアップリンクスロット内の実際の開始位置を決定するために無線ネットワークノードから受信された公称開始位置を調節するように設定される。調節ユニット１３６は、所定の制御領域サイズ、所定のダウンリンク制御情報（ＤＣＩ）位置、および先のダウンリンク送信と関連付けられた所定の終了位置であって、アップリンクスロットに対応するダウンリンクスロット、およびアップリンクスロットより前に生じるダウンリンクスロットのうちの１つを規定する、所定の終了位置のうちの少なくとも１つに基づいて公称開始位置を調節することができる。
【００９８】
無線ネットワークノードによって提供される開始位置が実際の開始位置である場合に調節ユニット１３６は必要とされないことを、当業者は容易に理解するであろう。このような場合、処理回路９２は、調節ユニット１３６をこのユニットが存在する場合利用しなくてよい、あるいは、このユニットを全く含まなくてよい。
【００９９】
図１３は、図１０のメモリ９４におけるものなどの例示のソフトウェア１００を示す。ソフトウェア１００は複数のソフトウェアモジュールを含む。特に、ソフトウェア１００は、開始シンボル決定モジュール１４０、送信モジュール１４２、受信モジュール１４４、および調節モジュール１４６を含むことができる。開始シンボル決定モジュール１４０は、基地局へのスケジューリングされたアップリンク送信のためのアップリンクスロット内の開始シンボルを自律的に決定するように設定される。送信モジュール１４２は、開始シンボルから基地局にスケジューリングされたアップリンク送信を送信するように設定される。受信モジュール１４４は、無線ネットワークノードがＵＥ９０に開始位置を提供する場合にアップリンクスロット内の公称または実際の開始位置を受信するように設定される。いくつかの実施形態では、無線ネットワークノードによって提供される開始位置は実際の開始位置ではない場合があるため、調節モジュール１４６は、スケジューリングされたアップリンク送信のためのアップリンクスロット内の実際の開始位置を決定するために無線ネットワークノードから受信された公称開始位置を調節するように設定される。調節モジュール１４６は、所定の制御領域サイズ、所定のダウンリンク制御情報（ＤＣＩ）位置、および先のダウンリンク送信と関連付けられた所定の終了位置であって、アップリンクスロットに対応するダウンリンクスロット、およびアップリンクスロットより前に生じるダウンリンクスロットのうちの１つを規定する、所定の終了位置のうちの少なくとも１つに基づいて公称開始位置を調節することができる。
【０１００】
上記と同様に、無線ネットワークノードによって提供される開始位置が実際の開始位置である場合に、調節モジュール１４６は必要とされない。このような場合、ソフトウェア１００は、調節モジュール１４６をこのモジュールが存在する場合呼び出さなくてよい、あるいは、このモジュールを全く含まなくてよい。
【０１０１】
図１４は、図１１の無線ネットワークノード１１０におけるものなどの例示の処理回路１１２を示す。処理回路１１２は複数の物理ユニットを含む。特に、処理回路１１２は、受信ユニット１５０、開始シンボル決定ユニット１５２、復調および復号ユニット１５４、ＣＲＣ比較ユニット１５６、開始シンボル識別ユニット１５８、ＵＥ処理時間決定ユニット１６０、スロット割当ユニット１６２、および送信ユニット１６４を含む。
【０１０２】
受信ユニット１５０は、ＵＥ９０などのＵＥから、１つまたは複数のシンボルを含むスケジューリングされたアップリンク送信を受信するように設定される。開始シンボル決定ユニット１５２は、１つまたは複数のシンボルのうちのどれがスケジューリングされたアップリンク送信のための開始シンボルであるかを決定するように設定される。特に、開始シンボル決定ユニット１５２は、１つまたは複数のシンボルからの種々のシンボルを開始シンボルとして選択するように設定される。復調および復号ユニット１５４は、選択されたシンボルを使用してスケジューリングされたアップリンク送信を復調し復号するように設定される。ＣＲＣ比較ユニット１５６は、復号済みのスケジューリングされたアップリンク送信と関連付けられたＣＲＣ値をスケジューリングされたアップリンク送信に含まれるＣＲＣ値と比較するように設定される。開始シンボル識別ユニット１５８は、復号済みのスケジューリングされたアップリンク送信と関連付けられたＣＲＣ値がスケジューリングされたアップリンク送信に含まれるＣＲＣ値とマッチすることをＣＲＣ比較ユニット１５６が指示することに応答して、選択されたシンボルを開始シンボルとして識別するように、および／またはＵＥ９０が、ＤＣＩを復号し、復号されたＤＣＩに基づいてスケジューリングされたアップリンク送信を準備するのにどれくらいの時間を必要とするかの現在の理解に基づいて開始シンボルを選択するように設定される。ＵＥ処理時間決定ユニット１６０は、ＤＣＩを復号し、復号されたＤＣＩに基づいてスケジューリングされたアップリンク送信を準備するためにＵＥが必要とする処理時間を決定するように設定される。スロット割当ユニット１６２は、ＵＥに送信されるＤＣＩにおけるスロット割当を識別するように設定される。送信ユニット１６４は、スロット割当および開始シンボルのうちの１つまたは両方を合わせてまたは別個にＵＥに送信するように設定される。
【０１０３】
図１５は、図１１における無線ネットワークノード１１０のメモリ１１４に記憶されるものなどの例示のソフトウェア１２０を示す。ソフトウェア１２０は複数のソフトウェアモジュールを含む。特に、ソフトウェア１２０は、受信モジュール１７０、開始シンボル決定モジュール１７２、復調および復号モジュール１７４、ＣＲＣ比較モジュール１７６、開始シンボル識別モジュール１７８、ＵＥ処理時間決定モジュール１８０、スロット割当モジュール１８２、および送信モジュール１８４を含む。
【０１０４】
受信モジュール１７０は、ＵＥ９０などのＵＥから、１つまたは複数のシンボルを含むスケジューリングされたアップリンク送信を受信するように設定される。開始シンボル決定モジュール１７２は、１つまたは複数のシンボルのうちのどれがスケジューリングされたアップリンク送信のための開始シンボルであるかを決定するように設定される。特に、開始シンボル決定モジュール１７２は、１つまたは複数のシンボルからの種々のシンボルを開始シンボルとして選択するように設定される。復調および復号モジュール１７４は、選択されたシンボルを使用してスケジューリングされたアップリンク送信を復調し復号するように設定される。ＣＲＣ比較モジュール１７６は、復号済みのスケジューリングされたアップリンク送信と関連付けられたＣＲＣ値をスケジューリングされたアップリンク送信に含まれるＣＲＣ値と比較するように設定される。開始シンボル識別モジュール１７８は、復号済みのスケジューリングされたアップリンク送信と関連付けられたＣＲＣ値がスケジューリングされたアップリンク送信に含まれるＣＲＣ値とマッチすることをＣＲＣ比較モジュール１７６が指示することに応答して、選択されたシンボルを開始シンボルとして識別するように、および／またはＵＥ９０が、ＤＣＩを復号し、復号されたＤＣＩに基づいてスケジューリングされたアップリンク送信を準備するのにどれくらいの時間を必要とするかの現在の理解に基づいて開始シンボルを選択するように設定される。ＵＥ処理時間決定モジュール１８０は、ＤＣＩを復号し、復号されたＤＣＩに基づいてスケジューリングされたアップリンク送信を準備するためにＵＥが必要とする処理時間を決定するように設定される。スロット割当モジュール１８２は、ＵＥに送信されるＤＣＩにおけるスロット割当を識別するように設定される。送信モジュール１８４は、スロット割当および開始シンボルのうちの１つまたは両方を合わせてまたは別個にＵＥ９０に送信するように設定される。
【０１０５】
本開示の実施形態は先行技術に対する多数の利点を提示している。例えば、１つの利点は、ネットワークおよびＵＥが、アップリンク送信のための開始位置の共通の精確な理解を有することになることである。
【０１０６】
本開示は、当然ながら、本開示の基本的な特性から逸脱することなく、本明細書に具体的に示されるもの以外の他のやり方で実行可能である。本実施形態は、あらゆる点で例示とみなされ、制限されるものではなく、添付の特許請求の範囲の意味および同等範囲内にある全ての変更は添付の特許請求の範囲に包含されることが意図される。
【図１】
2020516126.tif 000006
【図２】
2020516126.tif 000007
【図３】
2020516126.tif 000008
【図４】
2020516126.tif 000009
【図５Ａ】
2020516126.tif 000010
【図５Ｂ】
2020516126.tif 000011
【図６】
2020516126.tif 000012
【図７】
2020516126.tif 000013
【図８】
2020516126.tif 000014
【図９Ａ】
2020516126.tif 000015
【図９Ｂ】
2020516126.tif 000016
【図９Ｃ】
2020516126.tif 000017
【図９Ｄ】
2020516126.tif 000018
【図１０】
2020516126.tif 000019
【図１１】
2020516126.tif 000020
【図１２】
2020516126.tif 000021
【図１３】
2020516126.tif 000022
【図１４】
2020516126.tif 000023
【図１５】
2020516126.tif 000024
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）９０において実装される、アップリンクスロット内で、アップリンク送信を始める時を決定する方法（５６）であって、
無線ネットワークノード（１１０）から、スケジューリングされたアップリンク送信のための開始シンボルのアップリンクスロット割当と共に前記開始シンボルを識別するメッセージを受信すること（５８）と、
前記スケジューリングされたアップリンク送信を、割当てられた前記アップリンクスロットにおいて、前記開始シンボルから前記無線ネットワークノードに送信すること（６２）と
を含む、方法。
【請求項２】
前記スケジューリングされたアップリンク送信のための割当てられた前記アップリンクスロット内の前記開始シンボルを識別する前記メッセージは、
前記ＵＥに送信されるスケジューリンググラント、および
無線リソース制御（ＲＲＣ）シグナリングメッセージ
のうちの１つを含む、請求項１に記載の方法。
【請求項３】
通信ネットワークにおいて無線ネットワークノード（１１０）とデータを通信するように設定されるトランシーバ（９８）と、
前記トランシーバに動作可能に接続され、
無線ネットワークノードから、スケジューリングされたアップリンク送信のための開始シンボルのアップリンクスロット割当と共に前記開始シンボルを識別するメッセージを受信し、
前記スケジューリングされたアップリンク送信を、割当てられた前記アップリンクスロットにおいて、前記開始シンボルから前記無線ネットワークノードに送信する
ように設定された処理回路（９２）と
を備える、ユーザ機器（ＵＥ）（９０）。
【請求項４】
前記スケジューリングされたアップリンク送信のための割当てられた前記アップリンクスロット内の前記開始シンボルを識別する前記メッセージは、
前記ＵＥに送信されるスケジューリンググラント、および
無線リソース制御（ＲＲＣ）シグナリングメッセージ
のうちの１つを含む、請求項３に記載のＵＥ。
【請求項５】
無線ネットワークノード（１１０）において実装される、ユーザ機器（ＵＥ）（９０）によるスケジューリングされたアップリンク送信のための開始シンボルおよびスロット割当を決定する方法（５０）であって、
ＵＥによるスケジューリングされたアップリンク送信のための開始シンボルのアップリンクスロット割当と共に前記開始シンボルを選択すること（５２）と、
前記ＵＥに対して前記開始シンボルおよび前記開始シンボルのスロットアサインを識別すること（５４）と
を含む、方法。
【請求項６】
前記開始シンボルを選択することは、
ダウンリンク（ＤＬ）制御領域の長さ、
ＤＬ制御領域内のＰＤＣＣＨの位置、
ダウンリンク制御情報（ＤＣＩ）を復号し、復号された前記ＤＣＩに基づいて、前記スケジューリングされたアップリンク送信を準備するために前記ＵＥが必要とする処理時間、および
前記ＵＥに提供されるタイムアライメントの量
のうちの少なくとも１つに基づいて、前記開始シンボルを選択することを含む、請求項５に記載の方法。
【請求項７】
前記ＵＥが必要とする前記処理時間を決定すること（８４）をさらに含み、前記処理時間を決定することは、直交周波数分割多重（ＯＦＤＭ）シンボル期間に応じて、物理アップリンク共有チャネル（ＰＵＳＣＨ）、物理ダウンリンク共有チャネル（ＰＤＳＣＨ）、および物理ダウンリンク制御チャネル（ＰＤＣＣＨ）のうちの１つまたは複数の特性に基づいて前記処理時間を調節することを含む、請求項６に記載の方法。
【請求項８】
前記ＵＥに対して前記開始シンボルを識別することは、
前記ＵＥに送信されるスケジューリンググラント、および
前記ＵＥに送信される無線リソース制御（ＲＲＣ）シグナリングメッセージ
のうちの１つにおいて前記開始シンボルを識別することを含む、請求項５に記載の方法。
【請求項９】
前記スロット割当と共に前記ＵＥに対して前記開始シンボルを識別することをさらに含む、請求項５から８のいずれか一項に記載の方法。
【請求項１０】
前記スロット割当と別個に前記ＵＥに対して前記開始シンボルを識別することをさらに含む、請求項５から８のいずれか一項に記載の方法。
【請求項１１】
前記スロット割当と別個に前記開始シンボルを識別することは、
前記ＵＥに送信される前記ＤＣＩにおいて前記スロット割当を識別することと、
前記ＵＥに送信されるＲＲＣシグナリングメッセージにおいて前記開始シンボルを識別することと
を含む、請求項１０に記載の方法。
【請求項１２】
前記ＵＥに対して前記開始シンボルを識別することは、前記ＵＥに対して公称開始位置を識別することを含む、請求項５から１１のいずれか一項に記載の方法。
【請求項１３】
前記ＵＥに対して前記開始シンボルを識別することは、
所定の制御領域サイズ、
所定のＰＤＣＣＨ位置、および
先のダウンリンク送信と関連付けられた所定の終了位置であって、前記アップリンクスロットに対応するダウンリンクスロット、および前記アップリンクスロットより前に生じるダウンリンクスロットのうちの１つを規定する、所定の終了位置
のうちの１つまたは複数に基づいて、割当てられた前記アップリンクスロット内の開始位置を識別することを含む、請求項５から１１のいずれか一項に記載の方法。
【請求項１４】
前記アップリンクスロットは、スロットの第１の部分に含まれ、前記スロットの第２の部分は、ダウンリンクスロットを含む、請求項５から１３のいずれか一項に記載の方法。
【請求項１５】
無線ネットワークノード（１１０）であって、
ユーザ機器（ＵＥ）（９０）とデータを通信するように設定されるトランシーバ（１０８）と、
実行可能な命令を記憶するメモリと、
前記トランシーバに動作可能に接続され、前記無線ネットワークノードに、請求項５から１４のいずれか一項に記載の方法を行わせるために前記メモリに記憶された前記命令を実行するように設定された処理回路（１１２）と
を備える、無線ネットワークノード（１１０）。
【国際調査報告】
2020516126.tif 000025
2020516126.tif 000026
2020516126.tif 000027